(57)【要約】【課題】本発明は、簡単にツボの位置を検知したことを使用者に知らせると共に、その位置で電位治療を行うことにより、電位治療とツボ治療の効果が重畳されて治療効果を倍増させることを目的とする。【解決手段】本発明では、ツボにおける人体の電気抵抗が低くなることを利用してツボを検知し、使用者に光または音などでツボの位置を知らせ、ツボに電位治療を行えるようにする。【選択図】      図１
2005204774.tif 000002
【特許請求の範囲】
【請求項１】
局部導子を人体に接触させてツボを探す接触子導体と把握部に付設した把握導体とを備え、把握導体を被検者が握った状態で、人体に接触移動させ、接触子導体に微小電圧を印加して、その電流の変化によりツボを検出する機能と検出後に、接触子導体に電位を印可して電位治療を行う二つの機能を自動的に切り替えて治療を行う電位治療器。
【請求項２】
上記請求項１のツボの検出と同時にタイマーを起動させ、一定時間経過後に電位を印加する機能を備えた電位治療器。
【請求項３】
上記要求項の検出と治療の二つの機能を予め設定した時間周期ごとに切り替えることにより、周期的にツボの位置を確認しつつ治療を行う電位治療器。
【発明の詳細な説明】
【技術分野】
【０００１】
本発明は、ツボ検知機能を有する電位治療器に関する。
【背景技術】
【０００２】
従来、この種の電位治療器は、電位を印加して、血行促進や肩凝り・腰痛などを癒すための治療器であり、人体のツボに電位を印加した場合には電位治療とツボ治療の効果が重畳されて治療効果が倍増すると考えられている。
【０００３】
しかしながら従来の治療器では、ツボを検知する機能がなく、効果的な治療を行うには人体のツボを使用者自身で探す必要があった。
【特許文献１】特開平０９−２５３１５６号公報
【発明の開示】
【発明が解決しようとする課題】
【０００４】
本発明は、ツボを検知し、迅速に、かつ確実にツボに電位を印加することでより治療効果が高まる電位治療器を供給することを目的とする。
【課題を解決するための手段】
【０００５】
本発明は、課題を解決するために、人体のツボを探すためと電位を印加するための機能を共有した導体を有する局部導子を備え、ツボ検知回路と電位発生回路およびツボ検知と電位治療を切り替えるための回路を有した制御装置を含む電位治療器で構成される。
【０００６】
また、上記のツボ検知手段と電位治療を切り替える機能を備えた電位治療装置において、ツボを検出すると同時にカウントを開始し、設定時間が経過すると自動的に導体に治療用の電位を発生させ治療を行うように構成したものである。
【０００７】
さらに上記のツボ検知手段を備えた電位治療装置にあって、ツボを検出したことをブザーなどの発音体または他の振動発生体などで知らせるように構成したものである。
【０００８】
また、上記のツボ検知手段を備えた電位治療装置にあって、ツボを検出したことを自動的に点灯表示するように構成したものである。
【発明の効果】
【０００９】
本発明は上述の如く構成されているのでつぎに記述する効果がある。
【００１０】
局部導子にはツボを探すための電極と、電位を印加するための電極を共用した接触子導体が設けられているので、ツボを検知したその位置ですぐに電位治療を行う事ができ、確実にツボ部に電位治療を行うことができるので治療効果を高めることが出来る。
【００１１】
また、要求項３または４に記載のごとく、局部導子によりツボを検知したことを音または表示灯などで知らせることにより老人等を含む聴力、視力などに障害のある使用者およびツボ位置に関する知識の無い人が使用しても容易にツボの位置を認識し、治療することができる。
【発明を実施するための最良の形態】
【００１２】
本発明の実施の形態を図面に基づいて説明する。
【実施例１】
【００１３】
本発明の原理を図１に応用例のブロック図を、図２に、局部導子の一例を図３および図４に示す。図１においてツボを探索する時には、電位を「入」／「切」するリレー２の接点が「切」、ツボ検出の出力を「入」／「切」するリレー７の接点が「入」となり、出力端子８に正（＋）、出力端子９に負（−）の検知用の低電圧の直流電圧が印加される。
【００１４】
局部導子Ａを制御装置Ｂに接続し、局部導子把握部の導体１１を使用者が手で握り局部導子Ａの先端の接触子導体１０を人体の各部に接触させる。接触子導体１０が人体に接触することにより、ツボ検出用出力回路５→リレー７→出力端子８→プラグ１３→接触子導体１０→人体→把握導体１１→プラグ１２→出力端子９→リレー７→抵抗器６→ツボ検出用出力回路５よりなるツボ検知回路が構成される。なお抵抗器６は、前記のツボ検知回路に流れる電流を電圧に変換するための抵抗である。
【００１５】
人体のツボ部分とツボでない部分とでは電気抵抗に微妙な差が生じ、ツボ部分は、ツボでない部分より電気抵抗が減少するため、接触子導体１０がツボ部分に接触したとき、抵抗器６に発生する電圧の大きくなることを制御回路４で検出する。
【００１６】
制御部４によりツボを検知すると、リレー７の接点が「切」、リレー２の接点が「入」となる。リレー２の接点が「入」となると、電位出力回路３により治療用の高い電位が発生し、出力端子８に高電位が印加され、人体のツボ部分に電位治療を行うことが出来る。
【実施例２】
【００１７】
図２は、別の実施例を示すブロック図である。ツボ検知後の時間をカウントするタイマー１４、抵抗器６にて検出した電流によりブザー１５の発音制御するブザー制御部１６、抵抗器６にて検出した電流により表示部１７を点灯する表示制御部１８、を備えている。
【００１８】
タイマー１４は、人体のツボ部分に確実に治療用の電位を印加するためのタイマーであり、導体１０がツボ部分に接触するとタイマー時間のカウントを開始し、カウントが終了するまでツボ部分に接触していないと電位治療に切替らない機能を保有する。
【００１９】
また、ブザー１５と、ブザー制御部１６は、接触子導体１０がツボ部分に接触するとブザーが発音する。なおこれらの発音体は、振動発生体でもよく、また、これらを局部導子Ａに組み込むことも可能である。
【００２０】
さらに表示部１７は、表示部１７の点灯を調節する表示制御部の信号により、接触子導体１０がツボ部分を検知すると点灯する。
【００２１】
図３、図４は、局部導子Ａの構成図である。局部導子Ａは人体の各部位に接触する接触子導体１０、人体が手で握る把握部の把握導体１１、接触子導体１０と把握導体１１を制御装置Ｂに接続するためのプラグ１２、プラグ１３で構成される。また，接触子導体１０は電位治療用の導体をかねている。
したがって，プラグ１２、プラグ１３を制御装置Ｂに差し込むことによりツボの検知及び電位治療を行うことが出来る。
【図面の簡単な説明】
【００２２】
【図１】本発明の検知原理を示すブロック図である。
【図２】本発明の実施例の構成を示すブロック図である。
【図３】本発明の実施形態に関わる局部導子の構成図である。
【図４】本発明の実施形態に関わる局部導子の内部構成図である。
【符号の説明】
【００２３】
１ 電源部  ２ リレー  ３ 電位出力回路  ４ 制御部  ５ ツボ検知用回路
６ 抵抗器  ７ リレー  ８ 出力端子  ９ 出力端子  １０ 接触子導体
１１ 把握導体  １２ プラグ  １３ プラグ  １４ タイマー  １５ ブザー  
１６ ブザー制御部  １７ 表示部  １８ 表示制御部
Ａ 局部導子  Ｂ 制御装置
【図１】
2005204774.tif 000003
【図２】
2005204774.tif 000004
【図３】
2005204774.tif 000005
【図４】
2005204774.tif 000006